(57)【要約】【課題】積層部への浸水を防ぐことができる免震積層ゴム用防水カバー及び免震装置を提供することを目的としている。【解決手段】ゴム層１０と硬質板１１とを交互に複数積層してなる積層部４が上下一対の支持板２，３間に介在された構成の免震積層ゴム１に装着され、少なくとも積層部４を被覆する免震積層ゴム用防水カバー５であって、積層部４の軸線Ｏ方向に沿って延在し内側に少なくとも積層部４が収容される筒形状を成し、カバー周方向に延在した剛性を有する硬質部２０と、カバー周方向に延在した可撓性を有する軟質部２１と、が備えられ、両端が支持板２，３に着脱可能にそれぞれ取り付けられている。【選択図】図１
2009024863.tif 000002
【特許請求の範囲】
【請求項１】
ゴム層と硬質板とを交互に複数積層してなる積層部が上下一対の支持板間に介在された構成の免震積層ゴムに装着され、少なくとも前記積層部を被覆する免震積層ゴム用防水カバーであって、
前記積層部の軸線方向に沿って延在し内側に少なくとも前記積層部が収容される筒形状を成し、
カバー周方向に延在した剛性を有する硬質部と、カバー周方向に延在した可撓性を有する軟質部と、が備えられ、
両端が前記支持板に着脱可能にそれぞれ取り付けられていることを特徴とする免震積層ゴム用防水カバー。
【請求項２】
請求項１記載の免震積層ゴム用防水カバーにおいて、
複数の前記硬質部と複数の前記軟質部とが前記軸線方向に交互に連結されていることを特徴とする免震積層ゴム用防水カバー。
【請求項３】
請求項１または２記載の免震積層ゴム用防水カバーにおいて、
縦割り状に分割された複数の分割体を組み合わせて筒状に形成されていることを特徴とする免震積層ゴム用防水カバー。
【請求項４】
請求項１から３のいずれか記載の免震積層ゴム用防水カバーにおいて、
前記両端が磁石を介して前記支持板に取り付けられていることを特徴とする免震積層ゴム用防水カバー。
【請求項５】
請求項１から４のいずれか記載の免震積層ゴム用防水カバーにおいて、
前記軟質部は、前記軸線方向に沿った縦断面視において湾曲されていることを特徴とする免震積層ゴム用防水カバー。
【請求項６】
ゴム層と硬質板とを交互に複数積層してなる積層部が上下一対の支持板間に介在された構成の免震積層ゴムを備える免震装置において、
請求項１から５のいずれか記載の免震積層ゴム用防水カバーを備えることを特徴とする免震装置。
【発明の詳細な説明】
【技術分野】
【０００１】
本発明は、免震積層ゴムに装着される免震積層ゴム用防水カバー、及びそれを備える免震装置に関する。
【背景技術】
【０００２】
従来、ビルや橋梁等の構造物に設置される免震装置として、上下のフランジ間に積層部が介在された構成からなる免震積層ゴムを備えるものがある。上記積層部は、ゴム層と内部鋼板とが交互に複数積層された構成からなる。また、近年、上記した積層部の外周面が被覆ゴムで被覆された構成の免震積層ゴムが提供されている。上記被覆ゴムは、積層部のゴム層と一体に成形され、或いは、積層部の外周面に対して加硫接着等により強固に接着されている。上記した構成の免震積層ゴムは下部構造と上部構造との間に配置され、下側のフランジが下部構造の上面に取り付けられるとともに上側のフランジが上部構造の下面に取り付けられる。この免震積層ゴムによれば、地震等が発生したときに積層部が水平方向に変形することで、下部構造から上部構造に伝達される振動が低減され、上部構造の揺れを抑えることができる。また、積層部の外周面が被覆ゴムにより被覆されていることにより、積層部の長期劣化を抑えることができる（例えば、特許文献１参照。）。
【特許文献１】特開昭６４−２９５３８号公報
【発明の開示】
【発明が解決しようとする課題】
【０００３】
一般に、免震積層ゴムを設置する免震ピットに排水設備等が備えられ、基本的に水が入り込まない或いは水が貯まらない構造になっているため、免震積層ゴムが長期間水に曝されることは想定されていない。ところが、建設途中においては、上記した排水設備等が未完成であるため、免震積層ゴムが水に曝される場合がある。また、竣工後においても、台風や洪水などにより想定以上の浸水が生じた場合、免震積層ゴムが水に曝される場合がある。
【０００４】
また、竣工後の積層部への長期荷重や地震等による積層部の変形等により、被覆ゴムにクラックが発生する場合がある。被覆ゴムは、上述したとおり、積層部のゴム層と一体に成形され、或いは、積層部の外周面に強固に接着されており、被覆ゴムを積層部から取り外すのが困難であるため、被覆ゴムにクラックが発生したときに、被覆ゴムを新しく交換するのは困難である。
【０００５】
したがって、従来の技術では、上述したように免震積層ゴムが長期間水に曝されると、被覆ゴムに生じたクラックから積層部内に水が浸入し、これにより、内部鋼板が発錆するおそれがある。
【０００６】
本発明は、上記した従来の問題が考慮されたものであり、積層部への浸水を防ぐことができる免震積層ゴム用防水カバー及び免震装置を提供することを目的としている。
【課題を解決するための手段】
【０００７】
本発明に係る免震積層ゴム用防水カバーは、ゴム層と硬質板とを交互に複数積層してなる積層部が上下一対の支持板間に介在された構成の免震積層ゴムに装着され、少なくとも前記積層部を被覆する免震積層ゴム用防水カバーであって、前記積層部の軸線方向に沿って延在し内側に少なくとも前記積層部が収容される筒形状を成し、カバー周方向に延在した剛性を有する硬質部と、カバー周方向に延在した可撓性を有する軟質部と、が備えられ、両端が前記支持板に着脱可能にそれぞれ取り付けられていることを特徴としている。
【０００８】
このような特徴により、防水カバー内に免震積層ゴムの積層部が収容されるので、防水カバーによって外部からの水が遮断され、積層部が水に曝されることが防止される（防水性）。
また、地震等により水平方向に変位が発生した際には、防水カバーのうちの軟質部が変形することにより、防水カバーは、免震積層ゴムの水平方向への変形に追随して変形する（追随性）。
さらに、防水カバーは着脱可能に取り付けられているので、竣工後、免震積層ゴムの定期検査を行う際には、防水カバーが取り外される。また、防水カバーが損傷・劣化した際には、その防水カバーが取り外されて新しい防水カバーに交換される（着脱容易性）。
【０００９】
また、本発明に係る免震積層ゴム用防水カバーは、複数の前記硬質部と複数の前記軟質部とが前記軸線方向に交互に連結されていることが好ましい。
これにより、防水カバーは、変形可能な部分（軟質部）が複数層形成された構成になり、防水カバーの水平方向への変形性能が高くなる。これにより、免震積層ゴムの水平変形に対する防水カバーの追随性が向上する。
【００１０】
また、本発明に係る免震積層ゴム用防水カバーは、縦割り状に分割された複数の分割体を組み合わせて筒状に形成されていることが好ましい。
これにより、防水カバーが更に着脱容易になる。すなわち、防水カバーを取り付ける際には、積層部を挟み込むようにして複数の分割体を筒状に組み立てればよく、取り付け容易である。一方、防水カバーを取り外す際には、筒状に組み立てられた複数の分割体を分解すればよく、取り外し容易である。
【００１１】
また、本発明に係る免震積層ゴム用防水カバーは、前記両端が磁石を介して前記支持板に取り付けられていることが好ましい。
これにより、防水カバーの両端が磁石の磁力によって支持板にそれぞれ接着されるので、防水カバーがさらに着脱容易になる。また、防水カバーの両端が磁石の磁力によって確実に接着されるので、防水カバーの端部が確実に止水され、防水カバーによる防水性が向上する。
【００１２】
また、本発明に係る免震積層ゴム用防水カバーは、前記軟質部が、前記軸線方向に沿った縦断面視において湾曲されていることが好ましい。
これにより、軟質部の変形時に当該軟質部に作用する引張応力や圧縮応力が低減され、軟質部が容易に変形される。
【００１３】
また、本発明に係る免震装置は、ゴム層と硬質板とを交互に複数積層してなる積層部が上下一対の支持板間に介在された構成の免震積層ゴムを備える免震装置において、上記した免震積層ゴム用防水カバーを備えることを特徴としている。
【発明の効果】
【００１４】
本発明に係る免震積層ゴム用防水カバー及び免震装置によれば、外部から防水カバー内への水の浸入が遮断されるので、積層部への水の浸入を防止することができる。したがって、建設中或いは竣工後に免震積層ゴムの周りに水が溜まっても、積層部が水に曝されることがなく、積層部の硬質板の発錆等の積層部の劣化を防止することができる。
また、防水カバーが免震積層ゴムの変形に対して追随性を発揮するので、地震等による水平方向の変位が発生しても、防水カバーが破損することがない。したがって、地震等が発生した後も防水性を確保することができる。また、上記した防水カバーの追随性により、防水カバーによって免震積層ゴムの免震効果が低減されることも無いので、免震効果を十分に発揮させることができる。
さらに、防水カバーの着脱が容易であるので、竣工後の積層部の定期検査や防水カバーの交換が容易であり、免震積層ゴムのメンテナンスを容易に行うことができる。また、防水カバーの交換が容易であるので、防止カバーが劣化・破損した場合に新しい防水カバーに簡単に交換することができ、防水性を維持することができる。
【発明を実施するための最良の形態】
【００１５】
以下、本発明に係る免震積層ゴム用防水カバー及び免震装置の実施の形態について、図面に基いて説明する。
【００１６】
図１は本発明の一例である免震装置３０の縦断面図であり、図２は免震装置３０の側面図であり、図３は図２に示すＡ−Ａ間の平断面図である。
【００１７】
図１〜図３に示すように、免震装置３０は、免震積層ゴム１と防水カバー５とを備えた構成からなる。
免震積層ゴム１は、下部構造８から上部構造９に伝達される振動を低減させるための装置であり、下部構造８と上部構造９との間に介装されるものである。この免震積層ゴム１には、下部構造８に取り付けられる下フランジ２（支持板）と、上部構造９に取り付けられる上フランジ３（支持板）と、下フランジ２と上フランジ３との間に介在された積層部４と、が備えられている。
【００１８】
下フランジ２及び上フランジ３は、それぞれ円形の鋼板からなり、上下に所定の間隔をあけて互いに対向する位置に設けられている。下フランジ２及び上フランジ３の各外周部には複数のボルト孔２ａ、３ａが所定の間隔をあけてそれぞれ形成されており、これらのボルト孔２ａ、３ａに挿通されたアンカーボルト７を介して、下フランジ２は下部構造８に固定され、上フランジ３は上部構造９に固定されている。
【００１９】
積層部４は、円形のゴム層１０と円形の内部鋼板１１（硬質板）とが交互に複数積層されて全体として略円柱形状を成し、さらにその外周面に被覆ゴム１２が被覆された構成からなる。ゴム層１０及び被覆ゴム１２は一体に成形されたものであり、天然ゴムや高減衰ゴム等からなる。積層部４の軸線Ｏ方向の両端（上下端）にはそれぞれゴム層１０が形成されており、この積層部４の両端（上下端のゴム層１０）は下フランジ２や上フランジ３に加硫接着されて固定されている。
【００２０】
上記した構成からなる免震積層ゴム１には、積層部４を被覆する防水カバー５が装着されている。
防水カバー５は、軸線Ｏ方向に沿って延在した円筒形状の部材であり、積層部４と略同軸に配設されている。この防水カバー５の内径は、積層部４、下フランジ２及び上フランジ３のいずれの外径よりも大きく、防水カバー５の内側には、積層部４、下フランジ２及び上フランジ３がそれぞれ収容されている。
【００２１】
上記した防水カバー５は、縦割り状に分割された一対の分割体５Ａ，５Ｂからなる。すなわち、一対の分割体５Ａ，５Ｂは、それぞれ図３に示すように横断面視（軸線Ｏの垂直面に沿った断面視）において半円弧形状を成す部材であり、これら一対の分割体５Ａ，５Ｂを組み合わせることで円筒形状に形成されている。また、これら一対の分割体５Ａ，５Ｂは、接合部材６を介して接合されている。接合部材６は、一対の分割体５Ａ，５Ｂの接合部分に沿って延設されており、一対の分割体５Ａ，５Ｂの各側端部にそれぞれ接合されている。また、接合部材６は、防水カバー５の変形に応じて自在に変形可能な部材であり、例えば長方形のゴム板からなる。
【００２２】
また、一対の分割体５Ａ，５Ｂ（防水カバー５）には、カバー周方向に延在する複数（６つ）の硬質部２０と、カバー周方向に延在する複数（５つ）の軟質部２１と、が備えられている。硬質部２０は、半リング形状のものであり、例えば金属や樹脂等の剛性を有するものからなる。図３に示すように、一対の分割体５Ａ，５Ｂの各硬質部２０，２０の端面同士は互いに当接されており、上記２つの硬質部２０，２０はリング状に形成されている。一方、軟質部２１は、半リング形状のものであり、例えばゴムやフッ素樹脂等の可撓性を有するものからなる。一対の分割体５Ａ，５Ｂの各軟質部２１，２１の端面同士は、互いの間隔をあけられており、これら端面同士の間には上記した接合部材６が配設されている。また、軟質部２１は、図１に示すように軸線Ｏ方向に沿った縦断面視において、カバー径方向の外側に凸の略Ｕ字形状に湾曲されており、硬質部２０の外周面からカバー径方向外側に向けて突出されている。
【００２３】
上記した複数の硬質部２０と複数の軟質部２１とは、軸線Ｏ方向に交互に連結されている。つまり、軟質部２１は、上下の硬質部２０の間に配設され、その上下端が硬質部２０にそれぞれ接合されている。なお、防水カバー５の両端（上下端）部分には、それぞれ硬質部２０（端部硬質部２０Ａ）が配設されており、これら端部硬質部２０Ａは、防水カバー５の中間部分に配設された硬質部２０（中間硬質部２０Ｂ）よりも軸線Ｏ方向の寸法が長くなっている。
【００２４】
上記した構成の防水カバー５は、その軸線Ｏ方向の両端が、鋼板（磁性体）からなる下フランジ２、上フランジ３に磁石２２を介して着脱可能にそれぞれ取り付けられている。具体的に説明すると、下側の端部硬質部２０Ａの下端内周面及び上側の端部硬質部２０Ａの上端内周面には、例えばゴム磁石からなる磁石２２がそれぞれ接着されている。磁石２２は、図３に示すようにカバー周方向に延在した横断面視半リング形状のものである。磁石２２の内周面は、下フランジ２や上フランジ３の外周面（側端面）に磁着されている。なお、一方の分割体５Ａに設けられた磁石２２と他方の分割体５Ｂに設けられた磁石２２とは、硬質部２０と同様に、図３に示すように互いの端面同士が突き合わされてリング形状に形成されている。
【００２５】
次に、上記した構成からなる防水カバー５の作用について説明する。
【００２６】
上記した構成の防水カバー５が免震積層ゴム１に装着されると、防水カバー５の内側に、積層部４及び上下のフランジ２，３がそれぞれ収容される。このとき、免震積層ゴム１を設置した免震ピットに水が溜まると、防水カバー５によって外部からの水が遮断され、防水カバー５の内側への水の浸入が防止される。特に、上記した構成の防水カバー５では、防水カバー５の両端が磁石２２を介して下フランジ２や上フランジ３に取り付けられているので、防水カバー５の両端が磁石２２の磁力によって確実に接着され、防水カバー５の上下端からの水の浸入が防止される。また、一対の分割体５Ａ，５Ｂの接合部分は接合部材６で止水されているので、一対の分割体５Ａ，５Ｂの境目からの水の浸入が防止される。
【００２７】
また、上記した防水カバー５を免震積層ゴム１に取り付ける場合、まず、免震積層ゴム１を両側から挟むようにして一対の分割体５Ａ，５Ｂを組み合わせる。このとき、一対の分割体５Ａ，５Ｂの上下端の内周面にそれぞれ設けられた磁石２２を上下のフランジ２，３の外周面に当接させる。これにより、磁石２２がフランジ２，３の外周面に磁着され、一対の分割体５Ａ，５Ｂの上下端は下フランジ２及び上フランジ３にそれぞれ取り付けられる。次に、一方の分割体５Ａの軟質部２１の端面と他方の分割体５Ｂの軟質部２１の端面との間に形成された隙間に接合部材６を配置し、この接合部材６を介して一対の分割体５Ａ，５Ｂの側端部同士を接合する。以上により、防水カバー５の取り付けが完了する。
【００２８】
また、防水カバー５を免震積層ゴム１から取り外す場合、まず、一対の分割体５Ａ，５Ｂ間に設けられた接合部材６を外す。次に、組み合わされた一対の分割体５Ａ，５Ｂを分解する。このとき、一対の分割体５Ａ，５Ｂの各上下端が磁石２２の磁力により上下のフランジ２，３に取り付けられているだけなので、一対の分割体５Ａ，５Ｂを互いに離間させる方向に移動させるだけで簡単に分解される。以上により、防水カバー５の取り外しが完了する。
【００２９】
上記したように、防水カバー５は免震積層ゴム１に対して容易に着脱されるので、竣工後に免震積層ゴム１の定期検査を行う際には、上記した取り外し手順に従い防水カバー５を取り外した後、免震積層ゴム１の検査を行う。そして、検査終了後は、上記した取り付け手順に従いもとの防水カバー５を取り付け、検査が完了する。このとき、防水カバー５の軟質部２１等にクラックが発生している等、防水カバー５の劣化が発見された場合には、その防水カバー５の全部又は劣化した分割体５Ａ，５Ｂを新しいものに交換して取り付ける。
【００３０】
また、免震積層ゴム１に防水カバー５が装着された状態で、地震等により水平方向の変位が生じ、免震積層ゴム１が水平方向に変形した場合、防水カバー５は、その免震積層ゴム１の水平変形に追随して変形する。すなわち、下フランジ２と上フランジ３とが水平方向に相対移動され、積層部４が傾斜した形状に変形すると、防水カバー５のうちの軟質部２１が変形して、防水カバー５が傾斜した形状に変形される。
【００３１】
特に上記した防水カバー５では、複数の硬質部２０と複数の軟質部２１とが軸線Ｏ方向に交互に連結された構成になっているので、防水カバー５は、変形可能な部分（軟質部２１）が複数層（本実施の形態では５層）形成された構成になっている。したがって、防水カバー５の水平方向への変形性能は高く、免震積層ゴム１の水平変形に対する防水カバー５の追随性は高い。
【００３２】
また、上記した構成の防水カバー５では、軟質部２１が縦断面視において湾曲された形状になっているので、軟質部２１の変形時に当該軟質部２１に作用する引張応力や圧縮応力が低く抑えられ、軟質部２１は容易に変形可能である。
【００３３】
上記した構成からなる防水カバー５及び免震装置３０によれば、防水カバー５内への水の浸入が防止されるので、高い防水性を実現することができ、建設中或いは竣工後に免震積層ゴム１の周りに水が溜まっても、積層部４や上下のフランジ２，３が水に曝されることはない。これにより、積層部４内の内部鋼板１１や上下のフランジ２，３の発錆を防止することができる。
【００３４】
また、防水カバー５が免震積層ゴム１の変形に対して追随性を発揮するので、地震等による水平方向の変位が発生しても、防水カバー５が破損することがない。したがって、地震等が発生した後も防水性を確保することができる。
特に、上記した防水カバー５は、免震積層ゴム１の水平変形に対する追随性が高いので、大きな変位に対しても対応することができる。
【００３５】
また、上記した防水カバー５の追随性により、防水カバー５によって免震積層ゴム１の免震効果が低減されることも無いので、免震効果を十分に発揮させることができる。
【００３６】
また、免震積層ゴム１に対する防水カバー５の着脱が容易であるので、竣工後の積層部４の定期検査や防水カバー５の交換が容易であり、免震積層ゴム１のメンテナンスを容易に行うことができる。
【００３７】
また、防水カバー５の交換が容易であるので、防止カバー５が劣化・破損した場合に新しい防水カバー５に簡単に交換することができ、防水性を維持することができる。
特に、防水カバー５では、軟質部２１が湾曲されており、軟質部２１の変形時に当該軟質部２１に作用する引張応力や圧縮応力が低く抑えられるので、軟質部２１にクラック等の破損が生じにくくなり、防水カバー５の寿命の長期化を図ることができる。
【００３８】
以上、本発明に係る免震積層ゴム用防水カバー及び免震装置３０の実施の形態について説明したが、本発明は上記した実施の形態に限定されるものではなく、その趣旨を逸脱しない範囲で適宜変更可能である。
例えば、上記した実施の形態では、防水カバー５は円筒形状になっているが、本発明は、角筒形状の防水カバーであってもよい。
【００３９】
また、上記した実施の形態では、防水カバー５の内側に積層部４及び上下のフランジ２，３がそれぞれ配設され、免震積層ゴム１全体が防水カバー５によって被覆されているが、本発明は、上下のフランジ２，３が防水カバーの外側に配設されており、免震積層ゴム１のうちの積層部４のみが防水カバーによって被覆されていてもよい。例えば、防水カバーの内径が積層部４の外径よりも大きく且つ上下のフランジ２，３よりも小さくなっており、さらに、防水カバーの上下端に、カバー径方向外側に張り出された鍔部がそれぞれ形成されており、これら上下の鍔部が下フランジ２の上面や上フランジ３の下面に着脱可能に取り付けられた構成にすることが可能である。
【００４０】
また、上記した実施の形態では、６つの硬質部２０と５つの軟質部２１とが軸線Ｏ方向に交互に連結されているが、本発明は、硬質部２０や軟質部２１の数は適宜変更可能である。例えば、両端の端部硬質部２０Ａの間に１つの筒状の軟質部が介装された構成にすることも可能である。
【００４１】
また、上記した実施の形態では、防水カバー５の両端部分に硬質部２０（端部硬質部２０Ａ）がそれぞれ配設されているが、本発明は、防水カバー５の両端部分に軟質部が配設された構成にすることも可能である。例えば、鉄成分を含有したゴム製の軟質部を防水カバー５の両端部分に配設し、この両端の軟質部を上下のフランジ２，３に磁石２２を介して取り付ける構成であってもよく、或いは、防水カバー５の両端部分にゴム磁石からなる軟質部を配設し、この両端の軟質部を上下のフランジ２，３に直接磁着させる構成であってもよい。
【００４２】
また、上記した実施の形態では、縦割り状に分割された一対の分割体５Ａ，５Ｂを組み合わせて筒状に形成されているが、本発明は、３つ以上に分割された分割体を組み合わせて筒状に形成される防水カバーであってもよい。さらに、本発明は、複数の分割体に分割されない防水カバーであってもよい。例えば、１枚の板状の部材を免震積層ゴム１の外周に巻き付けるようにして筒状に形成される防水カバーであってもよい。
【００４３】
また、上記した実施の形態では、磁石２２が端部硬質部２０Ａの内周面に接着されるとともに下フランジ２又は上フランジ３の外周面に磁着されているが、本発明は、端部硬質部２０Ａ（防水カバーの両端）が鉄等の磁性体の場合、磁石２２がフランジ２，３の外周面に沿って接着され、この磁石２２の外周面が端部硬質部２０Ａの内周面に磁着された構成にすることも可能であり、或いは、磁石２２が、フランジ２，３の外周面及び端部硬質部２０Ａの内周面にそれぞれ磁着された構成にすることも可能である。
【００４４】
また、上記した実施の形態では、防水カバー５の両端が磁石２２を介して上下のフランジ２，３に着脱可能に取り付けられているが、本発明は、磁石２２を用いずに防水カバー５の両端を上下のフランジ２，３に着脱可能に取り付けることも可能である。例えば、防水カバー５の両端がボルトとナット等の締結部材を用いて上下のフランジ２，３に取り付けられていてもよく、或いは、端部硬質部２０Ａ自体に磁石で形成して、端部硬質部２０Ａを上下のフランジ２，３に直接磁着させる構成であってもよい。
【００４５】
また、上記した実施の形態では、軟質部２１が、縦断面視においてカバー径方向外側に凸の略Ｕ字形状に湾曲されているが、本発明は、軟質部が、カバー径方向内側に凸に湾曲されていてもよく、また、略Ｖ字形状に湾曲されていてもよい。さらに、本発明は、軟質部が湾曲されてなく、縦断面視においてストレート形状にすることも可能である。
【００４６】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００４７】
【図１】本発明の実施の形態を説明するための免震装置の縦断面図である。
【図２】本発明の実施の形態を説明するための免震装置の側面図である。
【図３】図２に示すＡ−Ａ間の平断面図である。
【符号の説明】
【００４８】
１  免震積層ゴム
２  下フランジ（支持板）
３  上フランジ（支持板）
４  積層部
５  防水カバー（免震積層ゴム用防水カバー）
５Ａ、５Ｂ  分割体
１０  ゴム層
１１  内部鋼板（硬質板）
２０  硬質部
２１  軟質部
２２  磁石
３０  免震装置
Ｏ  軸線
【図１】
2009024863.tif 000003
【図２】
2009024863.tif 000004
【図３】
2009024863.tif 000005